(57)【要約】【課題】装飾具本体に視認可能に収容されている写真などの付された装飾シートを簡便に交換することができ、さらに装飾具本体の両面側から装飾シートを視認することができる装飾具を提供する。【解決手段】装飾具１Ａは、装飾シート５ａ，５ｂを収容可能な凹部３が形成された透明な装飾具本体２と、凹部３に嵌め込まれて保持される透明な蓋板６とを備え、蓋板６には、その縁端部に、装飾具本体２の凹部３に保持された蓋板６を先尖具でこじ開けるための切欠部７が形成されているものである。【選択図】図１
0003157455.tif 000002
【実用新案登録請求の範囲】
【請求項１】
装飾シートを収容可能な凹部が形成された透明な装飾具本体と、該凹部に嵌め込まれて保持される透明な蓋板とを備え、該蓋板には、その縁端部に、該装飾具本体の凹部に保持された該蓋板を先尖具でこじ開けるための切欠部が形成されていることを特徴とする装飾具。
【請求項２】
前記切欠部は、前記縁端部を、断面コの字形、断面Ｖ字形、断面Ｕ字形、断面円弧形、又は断面一文字形に切り欠いた形状で形成されていることを特徴とする請求項１に記載の装飾具。
【請求項３】
前記凹部は、前記装飾シートを複数重ねて収容可能に形成されていることを特徴とする請求項１に記載の装飾具。
【請求項４】
前記蓋板、及び／又は、前記装飾具本体は、前記凹部に収容された前記装飾シートを透過して視認可能な露出面側が平坦面で形成されていることを特徴とする請求項１に記載の装飾具。
【請求項５】
前記蓋板、及び／又は、前記装飾具本体は、前記凹部に収容された前記装飾シートを透過して視認可能な露出面側が凸レンズ状に隆起した形状に形成されていることを特徴とする請求項１に記載の装飾具。
【請求項６】
前記蓋板、及び／又は、前記装飾具本体は、その外形輪郭が円形、楕円形、正方形、長方形、三角形、星形、ハート形、人形、又は動物形に形成されていることを特徴とする請求項１に記載の装飾具。
【請求項７】
前記装飾具本体に形成された取付孔に、キーホルダー、ネックレス、ブレスレット又はストラップが結合されていることを特徴とする請求項１〜６のいずれかに記載の装飾具。
【考案の詳細な説明】
【技術分野】
【０００１】
本考案は、写真などの付された装飾シートを視認可能に収容する装飾具に関するものである。
【背景技術】
【０００２】
写真、絵、文字などの付された装飾シートを透明部材で覆うことで、その装飾シートを保護しつつ視認することができる装飾具が知られている。このような装飾具は、キーホルダー、ネックレス、ストラップ等に加工されて用いられている。
【０００３】
例えば特許文献１には、装飾シートの一例であるレンチキュラースクリーンを収容する台板（装飾具本体）を、透明な表蓋（蓋板）で被覆して真空圧着で一体不可分に固着したキーホルダー（装飾具）が開示されている。この装飾具には、装飾具本体と蓋板とが固着されているため、収容されている装飾シートを自由に交換することができないという課題がある。また、この装飾具には、その装飾具本体の蓋板側から装飾シートを視認することができるが、その裏面側から装飾シートを視認することができないという課題がある。
【先行技術文献】
【特許文献】
【０００４】
【特許文献１】実開平５−４９７９号公報
【考案の概要】
【考案が解決しようとする課題】
【０００５】
本考案は、前記の課題を解決するためになされたもので、装飾具本体に視認可能に収容されている写真などの付された装飾シートを簡便に交換することができ、さらに装飾具本体の両面側から装飾シートを視認することができる装飾具を提供することを目的とする。
【課題を解決するための手段】
【０００６】
前記の目的を達成するためになされた、実用新案登録請求の範囲の請求項１に記載された装飾具は、装飾シートを収容可能な凹部が形成された透明な装飾具本体と、該凹部に嵌め込まれて保持される透明な蓋板とを備え、該蓋板には、その縁端部に、該装飾具本体の凹部に保持された該蓋板を先尖具でこじ開けるための切欠部が形成されていることを特徴とする。
【０００７】
請求項２に記載された装飾具は、請求項１に記載されたもので、前記切欠部は、前記縁端部を、断面コの字形、断面Ｖ字形、断面Ｕ字形、断面円弧形、又は断面一文字形に切り欠いた形状で形成されていることを特徴とする。
【０００８】
請求項３に記載された装飾具は、請求項１に記載されたもので、前記凹部は、前記装飾シートを複数重ねて収容可能に形成されていることを特徴とする。
【０００９】
請求項４に記載された装飾具は、請求項１に記載されたもので、前記蓋板、及び／又は、前記装飾具本体は、前記凹部に収容された前記装飾シートを透過して視認可能な露出面側が平坦面で形成されていることを特徴とする請求項１に記載の装飾具。
【００１０】
請求項５に記載された装飾具は、請求項１に記載されたもので、前記蓋板、及び／又は、前記装飾具本体は、前記凹部に収容された前記装飾シートを透過して視認可能な露出面側が凸レンズ状に隆起した形状に形成されていることを特徴とする。
【００１１】
請求項６に記載された装飾具は、請求項１に記載されたもので、前記蓋板、及び／又は、前記装飾具本体は、その外形輪郭が円形、楕円形、正方形、長方形、三角形、星形、ハート形、人形、又は動物形に形成されていることを特徴とする。
【００１２】
請求項７に記載された装飾具は、請求項１〜６のいずれかに記載されたもので、前記装飾具本体に形成された取付孔に、キーホルダー、ネックレス、ブレスレット又はストラップが結合されていることを特徴とする。
【考案の効果】
【００１３】
本考案の装飾具によれば、蓋板の縁端部に切欠部が形成されていることにより、その切欠部に例えばマイナスドライバーのような先尖具を差し入れて斜倒することで、装飾具本体の凹部に嵌め込まれた蓋板を、梃子の原理で簡便にこじ開けて外すことができる。このような切欠部の形成されていない蓋板を用いた装飾具では、蓋板を外すことはできず、また蓋板を外そうとして装飾具本体と蓋板との間に無理やり先尖具を差し入れると蓋板等が破損してしまうことがあるが、本考案の装飾具のように蓋板に切欠部を形成することで、装飾具本体から蓋板を破損することなく外すことができ、再度蓋板を嵌めこんで装飾具として用いることができる。したがって、すでに収容されている装飾シートを別の装飾シートに自由に交換することができるし、装飾シートの収容されていない状態の装飾具を提供してそこに任意の装飾シートを収容させることができる。また、装飾具本体および蓋板が透明であるので、収容した装飾シートの両面を視認することができるため、例えば両面に写真等を付した装飾シートを収容し、その両面の写真を視認することができる。
【００１４】
この装飾具によれば、切欠部が、蓋板の縁端部を、断面コの字形、断面Ｖ字形、断面Ｕ字形、断面円弧形、又は断面一文字形に切り欠いた形状で形成されることにより、先尖具を差し入れやすく先尖具が引掛りやすいため、蓋板の破損を防止しつつ蓋板をこじ開けやすくすることができる。
【００１５】
この装飾具によれば、凹部が装飾シートを複数重ねて収容可能であることにより、例えば写真等が付された２枚の装飾シートを裏面同士対面させて収容することができるため、つまり装飾シートには片面のみに写真を付すだけでよいので、装飾シートの製作を簡便、迅速に行うことができる。
【００１６】
この装飾具によれば、蓋板、及び／又は、装飾具本体は、凹部に収容された装飾シートを透過して視認可能な露出面側が平坦面で形成されていることにより、装飾シートを歪なく明瞭に視認することができる。
【００１７】
この装飾具によれば、蓋板、及び／又は、装飾具本体は、露出面側が凸レンズ状に隆起した形状に形成されていることにより、凸レンズ状部分で光が屈折されるため、拡大された装飾シートを視認することができる。
【００１８】
この装飾具によれば、蓋板、及び／又は、装飾具本体は、その外形輪郭を円形、楕円形、正方形、長方形、三角形、星形、ハート形、人形、又は動物形に形成されていることにより、デザイン性に優れた装飾具として用いることができる。このように種々の形状に形成しても、切欠部を有することで蓋板を先尖具によって装飾具本体から外すことができる。
【００１９】
この装飾具によれば、装飾具本体に形成された取付孔に、キーホルダー、ネックレス、又はストラップが結合されていることにより、様々な態様の装飾具として用いることができる。
【図面の簡単な説明】
【００２０】
【図１】本考案を適用する装飾具の構成を示す斜視図である。
【図２】本考案を適用する別な装飾具の使用状態を示す断面図である。
【図３】本考案を適用する装飾具の形状例を示す正面図である。
【考案を実施するための形態】
【００２１】
以下、本考案を実施するための形態を詳細に説明するが、本考案の範囲はこれらの形態に限定されるものではない。
【００２２】
本考案の装飾具の好ましい一例について、図１を参照して説明する。
【００２３】
本考案の装飾具１Ａは、装飾シート５ａ，５ｂを収容可能な装飾具本体２、および蓋板６を備え、キーホルダー１１に結合されて構成されている。
【００２４】
装飾具本体２は、無色透明なアクリル樹脂によって、全体として円盤形状に形成されている。この装飾具本体２は、その環状の周縁部は円弧状に膨らんで形成されて、その底面（図の非観察面）は平坦面で形成されているものである。この装飾具本体２には、装飾シート５ａ，５ｂの収容可能な凹部３が形成されている。また、装飾具本体２は、その周縁部の一部が円盤形状の軸に直交する方向に隆起されていて、そこに取付孔４が形成されている。この装飾具本体２の大きさに特に限定はなく、所望の任意の大きさで形成する。
【００２５】
凹部３は、装飾部本体２の一面側（図の観察面側）から円盤形状の厚さの半分程度の深さまで、円盤形状と同軸の丸穴で窪んだ形状に形成されている。その凹部３の円環状の側壁は、滑らかに形成されると共に、凹部３の窪んだ底面は、滑らかな平面で形成されている。凹部３の丸孔径は、装飾具本体２の円盤径よりも小さい径であれば特に限定はなく、所望の任意の径で形成する。丸孔径を大きくした方が、収容する装飾シート５ａ，５ｂを大きく形成できるので好ましいが、デザインとの兼ね合いで適宜所望の大きさで形成すればよい。
【００２６】
取付孔４は、一例としてキーホルダー１１を結合するための孔であり、円盤形状の一面側から他面側（図の非観察面側）に貫通する丸孔で形成されている。取付孔４は、直線状に孔開けされていてもよく、円弧状に孔開けされていてもよい。また、取付孔４の開口部は面取りして形成してもよい。この取付孔４に、キーホルダー１１の取付用金属輪１０を開いて通して、再度、取付用金属輪１０を環状に閉じることでキーホルダー１１が装飾具本体２に結合されている。
【００２７】
同図では、取付孔４にキーホルダー１１を結合した例を示していが、この取付孔４には、キーホルダー１１に換えて、ネックレス、ブレスレット、またはストラップを結合してもよい。ストラップには、種々のものがあるがいずれの種類のストラップを結合してもよく、例えば、携帯電話用ストラップを結合して携帯電話に取り付け可能な装飾具１Ａとしてもよい。
【００２８】
装飾シート５ａは、その一面側（図の観察面側）に、写真、絵若しくは文字、又はこれらを組み合わせたものが付された、円形状に形成されたシートである。同図では、一例として、牛の写真に牧場名の文字を組み合わせて写真用紙に印刷した装飾シート５ａを模式的に図示している。装飾シート５ａは、凹部３に嵌るように、凹部３の丸孔径よりも若干小さい径の円形で形成されている。
【００２９】
装飾シート５ａは、シート状のものであればその材質は特に限定されず、写真用紙の他に、例えば上質紙、コート紙、アート紙、インクジェット紙、和紙、画用紙、樹脂製フィルム、金属薄板が挙げられる。このようなシートに写真等を印刷したり、絵や書を直接描いたりして装飾シート５ａとする。例えば、凹部３に嵌る大きさよりも大きな写真用紙に写真を印刷して、その一部の所望する部分を円形に切り取って装飾シート５ａとしてもよい。
【００３０】
装飾シート５ｂは、上記の装飾シートと同様の形状、大きさ、材質で形成されており、同図では、非観察面側に写真等が付されている。装飾シート５ｂに付す写真等は、装飾シート５ａに付したものと同じものであってもよいが、異なったものを付したほうが、装飾性が向上するので好ましい。
【００３１】
蓋板６は、無色透明なアクリル樹脂によって両面が平坦な円板に形成されている。蓋板６の円板径は、凹部３の穴径とほぼ同じ径で、凹部３に圧入により嵌め込み可能で、凹部３によって保持される径で形成されている。蓋板６の板厚は、凹部３に装飾シート５ａ，５ｂを収容して蓋板６を嵌め込んだときに、凹部３の開口縁の周辺面と蓋板６の露出面（図の観察面）とがほぼ面一になるような板厚で形成されている。蓋板６の環状の縁端面は滑らかに形成されている。
【００３２】
蓋板６には、その縁端部に切欠部７が形成されている。この切欠部７は、装飾具本体２の凹部３に保持された蓋板６を、マイナスドライバーなどの先尖具でこじ開けるためのものである。この切欠部７は、一例として同図に示すように、断面コの字形に縁端部を切り欠いた形状に形成されている。切欠部７は、そのコの字形の開口に先尖具が差し込み可能な大きさで形成すればよく、先尖具を差し込んでこじ開け可能であればその開口の大きさ、形状に限定はないが、小さい大きさで形成したほうが目立たないため、装飾性の観点から好ましい。具体的には、切欠部７のコの字形の開口を、例えばいわゆる精密ドライバーの名称で市販されている小型のマイナスドライバーを差し込み可能な程度の大きさに形成すると、目立たないため好ましい。
【００３３】
この切欠部７は、一例として蓋板６を射出成型する際に、切欠部７の断面コの字形に対応する凸部を有する金型を用いて成型することで形成してもよいし、切欠部７の形成されていない円板の縁端部を切削加工することで形成してもよい。切欠部７を切削加工によって形成する場合には、やすりで縁端部を切削して形成してもよいし、回転するドリル歯の側部を縁端部に押し当てることで切削して形成してもよい。切削加工で切欠部７を形成したときには、目の細かいやすりで滑らかに仕上げ加工を施すことが好ましい。
【００３４】
本考案では、蓋板６に切欠部７を設けていることに大きな特徴がある。蓋板６に切欠部７を形成せずに、凹部３の円環の側壁の一部を円盤軸に直交する方向に切り欠いて拡張し、先尖具を挿入可能に形成することも考えられるが、その場合、切削で形成することが難しい。つまり、後加工によって凹部３に切欠部を形成できないため、射出成型時に金型を用いて成型により形成する必要がある。このため、例えば切り欠く形状や大きさを簡便に変更することが難しい。さらに凹部３を拡張して切欠部を設けるためには、装飾具本体２の縁近くに切欠部を設けるだけのスペースが必要になる。そのため、このスペースを設けるために凹部３の丸孔径が小さくなってしまい、収容できる装飾シート５ａ，５ｂの大きさが小さくなってしまう。これらの問題があるため、本考案では蓋板６に切欠部７を設けている。
【００３５】
なお、図１では、蓋板６の両面を平坦面で形成した例を示したが、蓋板６の露出面側を曲面で形成してもよい。同様に、図１では、装飾具本体２の凹部３に収容された装飾シート５ｂを透過して視認可能な露出面側（図の非観察面側）を平坦面で形成した例を示したが、曲面で形成してもよい。
【００３６】
図２には、蓋板６および装飾具本体２の各々の露出面側を凸レンズ状（平凸レンズ状）に隆起した形状（曲面形状）に形成した装飾具１Ｂを断面図で示している。同図では、すでに説明した構成と同様の構成については同じ符号を付して詳細な説明は省略する。なお、蓋板６および装飾具本体２の一方の露出面側を凸レンズ状に隆起した形状で形成し、他方の露出面側を平坦面で形成してもよい。
【００３７】
この装飾具１Ｂは、取付孔４に携帯電話用ストラップ１２が結合されたものである。
【００３８】
本考案の装飾具１Ａおよび装飾具１Ｂ（以下、単に装飾具１という）は、以下のようにして使用される。
【００３９】
最初に、蓋板６の取り外された状態の装飾具１に装飾シート５ａ，５ｂを収容する方法について図１を参照しつつ説明する。
【００４０】
まず装飾シート５ａ，５ｂを準備する。
【００４１】
装飾シート５ａ，５ｂはどのようなものであってもよい。例えば、装飾シート５ａ，５ｂとして、使用者の好みによって使用者が撮影した写真を凹部３に収容可能に切り抜いて準備してもよいし、使用者が雑誌等の印刷物から切り抜いて準備してもよい。
【００４２】
また、例えば、装飾具１を観光地や観光施設などで販売したり無料で配布したりするなど様々に利用する場合、装飾シート５ａとして、その観光地や観光施設などを象徴する写真とその観光地名やキャッチフレーズなどの文字とを組み合わせた観光施設宣伝を紙等に印刷して多数準備しておく。
【００４３】
この場合、装飾シート５ｂとして、その観光地等において、そこを訪れた観光客の顔等をデジタルカメラで撮影し、その場に用意したパーソナルコンピュータおよびプリンタによって撮影した写真を直ちに写真用紙に印刷し、凹部３に収容可能な丸型に切り抜いて装飾シート５ｂとしてもよい。印刷する写真は、観光客自身がデジタルカメラで撮影した写真を用いてもよい。このような装飾シート５ａ，５ｂを用いることで、観光記念品とすることができるし、また、観光施設の宣伝媒体として利用することもできる。なお、写真はデジタルカメラで撮影したものに限られず、従来のフィルム式カメラ（銀塩カメラ）で撮影した写真を用いてもよいし、いわゆるインスタントカメラで撮影した写真を用いてもよい。このような写真をプリンタやコピー機等で焼き増しして用いてもよい。
【００４４】
また、例えば、各種スポーツ大会、音楽発表会などの各種イベントで利用する場合、装飾シート５ａとして、そのイベントを象徴する写真やデザイン画とイベント名やイベント宣伝広告とを組み合わせて印刷し、多数準備しておく。この場合、装飾シート５ｂとして、そのイベント参加者の顔写真をその場でデジタルカメラなどで撮影し、印刷して準備する。このような装飾シート５ａ，５ｂを用いることで、イベント参加者の記念品とすることができるし、また、イベント宣伝広告媒体として利用することができる。
【００４５】
このように準備した装飾シート５ａ，５ｂを、同図に示すように、写真が視認可能となるように背中合わせにして、装飾シート５ａ，５ｂの写真の天方向が取付孔４の方向となるような向きで凹部３に収容する。
【００４６】
続いて、蓋板６を、切欠部７が取付孔４に近接するような向きで、凹部３に指などで圧入して嵌め込む。これにより、蓋板６が凹部３に保持されて、装飾具１Ａが完成する。
【００４７】
装飾具１は装飾具本体２および蓋板６が透明なので、使用者は、蓋板６を透過して装飾シート５ａを視認することができ、装飾具本体２を透過して装飾シート５ｂを視認することができる。したがって装飾具１がどちらの面を向いていたとしても、使用者は装飾シート５ａ，５ｂのいずれかを視認できるので、装飾性に優れている。
【００４８】
次に、完成した状態の装飾具１から、装飾シート５ａ，５ｂを取り出して交換する方法について図２を参照しつつ説明する。
【００４９】
予め、切欠部７に差し込み可能な先尖具の一例であるマイナスドライバー５０を準備する。なお、先尖具は、マイナスドライバー５０に限られず、切欠部７に差し込み可能な先の尖った硬質のものであれば使用することができ、例えばヘアピン、クリップや金属棒を用いてもよい。
【００５０】
同図に示すように、このマイナスドライバー５０を、切欠部７の壁面に当たるように切欠部７に差し入れて、同図中の二点鎖線矢印Ａで示す方向に、凹部３の縁側に向かって斜倒させる。これにより、蓋板６は、同図中の二点鎖線矢印Ｂで示す方向に梃子の原理でこじ開けられ、同図中の二点鎖線で示すように凹部３から外れる。切欠部７があることにより、装飾具本体２および蓋板６には無理な大きな力が掛らないため、再度使用可能に破損無く装飾具本体２から蓋板６を外すことができる。
【００５１】
蓋板６が外れた凹部３から装飾シート５ａ，５ｂを取り出して、使用者の好みの写真等が付された装飾シート５ａ，５ｂに交換する。装飾シート５ａ，５ｂの１枚だけを交換してもよい。蓋板６を再度、凹部３に嵌めこむことで、交換作業が終了する。
【００５２】
この図２に示した装飾具１Ｂでは、蓋板６および装飾具本体２の露出面が凸レンズ状に隆起して形成されているので、光が屈折して透過するため、収容した装飾シート５ａ，５ｂを拡大して視認することができる。
【００５３】
なお、図３に正面図で示すように、装飾具本体２、蓋板６および切欠部７は、様々な形状で形成することができる。例えば同図に示すように、装飾具本体２の外形輪郭は、既に説明した装飾具１Ａに示すような円形、装飾具１Ｃに示すような正方形、装飾具１Ｄに示すような長方形、装飾具１Ｅに示すような三角形、又は装飾具１Ｆに示すような楕円形に形成してもよいし、非図示の星形、ハート形、人形、又は動物形等のように所望の任意の形状に形成してもよい。また、蓋板６の外形輪郭は、同図に示すように、円形、正方形、長方形、三角形又は楕円形に形成してもよいし、非図示の星形、ハート形、人形、又は動物形等の所望の任意の形状に形成してもよい。蓋板６は、装飾具本体２の外形輪郭の形状と略相似形に形成してもよく、また、例えば装飾具本体２の外形輪郭が楕円形で蓋板６の外形輪郭が長方形のように異なる形に形成してもよい。
【００５４】
また、同図に示すように、切欠部７の形状は、既に説明した装飾具１Ａに示すような断面コの字形、装飾具１Ｃに示すような断面Ｖ字形、装飾具１Ｄに示すような断面Ｕ字形、装飾具１Ｅに示すような断面円弧形、又は装飾具１Ｆに示すような断面一文字形に形成してもよい。
【００５５】
また、蓋板６及び装飾具本体２の材質がアクリル樹脂の例を示したが、ポリエチレン、ポリプロピレン、ポリ塩化ビニル、ポリ酢酸ビニル、ポリカーボネート、ポリスチレン、ポリ塩化ビニルのような熱可塑性樹脂；フェノール樹脂、メラミン樹脂、尿素樹脂、ユリア樹脂、エポキシ樹脂のような熱硬化性樹脂；ガラス、水晶であってもよい。中でもアクリル樹脂は透明度が高く、軽いので好ましい。
【００５６】
また、凹部３に、２枚の装飾シート５を収容した例について示したが、３枚収容してもよい。この場合、装飾シート５ａと５ｂとで３枚目の装飾シートを挟み、必要に応じて装飾シート５ａ又は５ｂと入れ替えて用いることができる。また、凹部３に、装飾シート５を１枚収容してもよい。この場合、１枚の装飾シート５の両面に写真等を付したほうが好ましいが、片面のみに写真等を付してもよい。
【００５７】
また、蓋板６及び装飾具本体２が無色透明である例を示したが、有色透明であってもよい。例えば、蓋板６及び装飾具本体２を、赤色、青色、又は緑色等の透明なアクリル樹脂で形成してもよい。
【００５８】
また、装飾具本体２の縁端部に取付孔５を形成した例を示したが、取付孔５を有しない装飾具１としてもよい。この場合、例えばヒートンのような、ねじの頭に輪のような金属棒が付いた金具を、装飾具本体２にねじ込んで取り付けてそこにキーホルダー１１等を結合してもよい。また、キーホルダー１１等を取り付けず、装飾具１を薄型に形成して定期券ケースのような両面が透明な窓付きの収容ケース内に収容して用いてもよいし、使用者が直接手で持つなどして用いてもよい。
【００５９】
さらに、蓋板６として、その装飾シート５ａに接する側の面を平坦面に形成した例について説明したが、その平坦面の環状縁部を、面取りして形成してもよいし、逆に僅かに平坦面から突出させて縁枠状に形成してもよい。また、凹部３の窪み底面の縁部も、僅かに底面から突出させて縁枠状に形成してもよい。
【符号の説明】
【００６０】
１Ａ，１Ｂ，１Ｃ，１Ｄ，１Ｆは装飾具、２は装飾具本体、３は凹部、４は取付孔、５ａ、５ｂは装飾シート、６は蓋板、７は切欠部、１０は取付用金属輪、１１はキーホルダー、１２は携帯電話用ストラップ、５０はマイナスドライバー、Ａ，Ｂは二点鎖線矢印である。
【図１】
0003157455.tif 000003
【図２】
0003157455.tif 000004
【図３】
0003157455.tif 000005